(57)【要約】【課題】使い勝手がよく、携帯に便利な、優れたプラグ装置を提供する。【解決手段】筐体１にプラグ収納用の凹部１４を形成するとともに、この凹部１４にプラグ本体３を収納する。プラグ本体３は、筐体１に対し、横倒自在かつ回転自在に装着するようになっており、プラグ本体３を倒立した状態では、プラグ本体３を回転して異なる方向に向け使用することが可能であり、プラグ本体３を横倒させた状態では、プラグ本体３がプラグ収納用凹部１４に完全に収納され、携帯に便利な状態になる。【選択図】  図１
2004172066.tif 000002
【特許請求の範囲】
【請求項１】
筐体に形成したプラグ収納用凹部に装着した、横倒自在かつ回転自在のプラグ本体を備えたプラグ装置であって、
前記プラグ本体は、倒立した状態で前記プラグ収納用凹部より突出するとともに、その状態で回転可能であり、かつ、横倒させた状態で前記プラグ収納用凹部に収納するように構成したことを特徴とするプラグ装置。
【請求項２】
前記プラグ本体は、前記プラグ収納部に対して横倒しになるための回転軸を有するとともに、
前記プラグ収納部には、筐体に対して前後左右方向に回転して向きを変更するため前記回転軸に直交する軸部を備え、かつ、
前記軸部は、前記回転軸の径方向に穿設した透孔に回転可能に挿入することにより、
前記プラグ本体は、前記透孔を中心に回転自在に枢着し、かつ、前記回転軸を中心に横倒自在に装着していることを特徴とする請求項１記載のプラグ装置。
【請求項３】
前記軸部は、前記プラグに電気的に接続したプラグ側電極を先端部に有し、
前記プラグ本体を倒立したときに前記プラグ側電極が前記筐体内部に設けた筐体側電極に接触し、前記プラグ本体が前記プラグ側電極、前記筐体側電極を介して前記筐体内部に設けた電気回路と電気的に接続するように構成したことを特徴とする請求項１又は２記載のプラグ装置。
【請求項４】
前記回転軸と前記回転軸を軸支する軸受との間には前記回転軸の回転に節度を与える節度機構を設け、
前記節度機構は、前記プラグ本体を倒立した状態と横倒した状態の２つの状態で一時的にその姿勢を保持するために節度を与えるように構成していることを特徴とする請求項２記載のプラグ装置。
【請求項５】
前記節度機構は、前記回転軸の外周に形成した節度用凹部と、前記節度用凹部に弾性的に当接するように前記軸受に設けた節度用弾性体を備えていることを特徴とする請求項４記載のプラグ装置。
【請求項６】
前記プラグ側電極は、前記軸部の先端部に配置されたプラグ側電極取付体の外周に表出するように取付け、
前記筐体側電極は、前記プラグ側電極取付体の外周を挟持するように前記筐体に取付けた互いに対向する２つの筐体側電極取付体にそれぞれ取付けていることを特徴とする請求項２記載のプラグ装置。
【請求項７】
前記プラグ側電極取付体の外周には、前記プラグ本体の回転に節度を与える節度用凹溝を有するとともに、
前記筐体側電極取付体の両側部には、それぞれ前記節度用凹溝に弾性的に嵌挿させる節度用凸堤を有することを特徴とする請求項６記載のプラグ装置。
【請求項８】
前記筐体側電極取付体には、前記筐体側電極取付体が常時前記プラグ側電極取付体に圧接する方向の弾性付勢力を付与しており、かつ、
前記筐体側電極取付体は、先端に操作釦を有する操作レバーを操作することにより前記弾性付勢力に抗して互いに遠ざかる方向に移動するように構成していることを特徴とする請求項６記載のプラグ装置。
【発明の詳細な説明】
【０００１】
【発明の属する技術分野】
本発明は、ＡＣ電源アダプタやＡＣ電源（以下、商用電源とよぶ）を使用する各種電気機器用のプラグ装置に関する。
【０００２】
【従来の技術】
商用電源からの給電により作動する各種の電気機器やＡＣアダプタが知られているが、これらには、コンセントに差込んで電気的に接続するためのプラグを設けている。
また、各種の電器製品やＡＣアダプタには、このプラグの使い勝手を考慮して、プラグを取付けているプラグ筐体に対してプラグを回転自在に取付けるとともに、不使用時にそのプラグをプラグ筐体に形成した凹部に収納可能とするような構成のプラグ装置を備えたものが知られている（例えば特許文献１参照）。
【０００３】
また前述したような各種電気機器やＡＣアダプタのプラグを差込んで使用するために、壁などに取付けたコンセントに着脱自在に装着するプラグ装置単体も知られている。このプラグ装置単体としては、プラグを固定したプラグ筐体と、このプラグ筐体に対して回転自在かつ横倒自在であって、コンセント取付けたコンセント筐体とを備えたものが知られている（たとえば特許文献２参照）。
【０００４】
【特許文献１】
実開平５−３１１４０号公報（［００１３］〜［００１５］、図１）
【特許文献２】
実開平５−２３４６８号公報（［０００８］〜［００１３］、図２）
【０００５】
【発明が解決しようとする課題】
ところで、特許文献１に記載のものでは、不使用時にプラグを筐体に形成した凹部に収納することができ、携帯に便利であるという利点を有するものの、プラグの使用時にその方向を任意に変更して使用することができず、壁などに取付けたコンセントとプラグ装置を構成する筐体との位置関係で、プラグをコンセントにうまく接続できない場合があるなどの問題があった。
【０００６】
また、特許文献２に記載のものでは、コンセントがプラグに対し回転可能で、かつ、横倒可能であるため、プラグを壁などに取付けられたコンセントに挿入し、この状態でプラグに対しコンセントを回転したり横倒したりして任意の方向に向けることが可能であるが、このプラグ装置では、それをそのままＡＣアダプタや商用電源を使用する各種機器に組み込むことができず、ＡＣアダプタや商用電源を使用する各種機器用のプラグ装置としては、そのまま活用できないという問題があった。
【０００７】
本発明は、このような従来の問題に鑑みてなされたものであり、プラグが筐体に形成した凹部に対し出入可能で、かつ、凹部より突出した状態で回転可能な、ＡＣアダプタや商用電源を使用する各種機器に使用するのに適した、優れたプラグ装置を提供することを目的とするものである。
【０００８】
【課題を解決するための手段】
本発明のプラグ装置は、筐体に形成したプラグ収納用凹部に横倒自在、かつ、回転自在にプラグを装着し、プラグを倒立した状態でプラグがプラグ収納用凹部より突出し、かつ、その状態で回転可能であり、プラグを横倒させた状態では、プラグがプラグ収納用凹部に収納される構成とした。
【０００９】
この構成により、プラグを使用したいときには、プラグを倒立させてプラグをプラグ収納用凹部より突出させることによりプラグを任意にコンセントに差込んで使用することができ、しかも、この状態では、プラグを、軸を中心に回転させることができ、プラグの方向を変化させて使用することができ、更に、使用しない場合には、プラグを横倒させてプラグをプラグ収納用凹部に任意に収納することができ、携帯に便利にすることができるという作用を有する。
【００１０】
また、本発明のプラグ装置は、前記プラグ本体が、前記プラグ収納部に対して横倒しになるための回転軸を有するとともに、
前記プラグ収納部には、筐体に対して前後左右方向に回転して向きを変更するため前記回転軸に直交する軸部を備え、かつ、
前記軸部は、前記回転軸の径方向に穿設した透孔に回転可能に挿入することにより、
前記プラグ本体は、前記透孔を中心に回転自在に枢着し、かつ、前記回転軸を中心に横倒自在に装着している構成とした。
【００１１】
この構成により、プラグを回転自在、横倒自在に容易に装着することができ、その構成が簡単になるという作用を有する。
【００１２】
また、本発明のプラグ装置は、軸部の先端部にプラグに電気的に接続されたプラグ側電極を有し、プラグを倒立したとき、プラグ側電極が筐体内部に設けた筐体側電極に接触し、プラグがプラグ側電極、筐体側電極を介して筐体内部に設けた電気回路に電気的に接続される構成とした。
【００１３】
この構成により、プラグは倒立した状態のときにのみ筐体内部の電気回路と電気的に接続されることになり、プラグの非使用時でプラグを横倒しているときには、プラグを筐体内部の電気回路より完全に分離しておくことができる。
【００１４】
また、本発明のプラグ装置は、回転軸と回転軸を軸支する軸受との間に、回転軸の回転に節度を与える節度機構を設け、この節度機構でプラグを倒立した状態と横倒した状態の２つの状態でそれぞれ節度を与える構成とした。
【００１５】
この構成により、プラグを倒立した状態と横倒した状態の２つの状態でそれぞれ節度が与えられるため、これらの２つの状態でそれぞれプラグが安定した状態に保持されることになり、使用勝手が著しく向上する。
【００１６】
また、本発明のプラグ装置は、節度機構を、回転軸の外周に形成した節度用凹部と、節度用凹部に弾性的に当接するように前記軸受に設けられた節度用弾性体とで構成した。
【００１７】
この構成により、プラグの転倒に節度を与える節度機構を簡単に提供することができ、その製作が容易になるという作用を有する。
【００１８】
また、本発明のプラグ装置は、プラグ側電極を軸部の先端部に配置したプラグ側電極取付体の外周に表出するように取付け、筐体側電極はプラグ側電極取付体の外周を挟持するように筐体に取付けられた互いに対向する２つの筐体側電極取付体にそれぞれ取付ける構成とした。
【００１９】
この構成により、プラグ側電極取付体が筐体側電極取付体で挟持されるようになり、その状態でプラグを回転させても、これらの取付体に取付けられたプラグ側電極、筐体側電極がそれぞれ互いに良好な接続関係を維持するという作用を有する。
【００２０】
また、本発明のプラグ装置は、プラグ側電極取付体の外周にプラグの回転に節度を与える節度用凹溝を形成し、筐体側電極取付体の両側部にそれぞれ節度用凹溝に弾性的に嵌挿される節度用凸堤を形成する構成とした。
【００２１】
この構成により、プラグの回転に適度な節度を与えることができ、プラグ側電極と筐体側電極とがそれぞれ互いに良好な接続関係を維持するという作用を有する。
【００２２】
また、本発明のプラグ装置は、筐体側電極取付体に常時プラグ側電極取付体に圧接する方向の弾性付勢力を付与しておき、操作レバーを操作することによりこの弾性付勢力に抗して筐体側電極取付体が互いに遠ざかる方向に移動する構成とした。
【００２３】
この構成により、操作レバーを操作することにより、筐体側電極取付体が互いに遠ざかる方向に移動するため、この状態でプラグを回転させればプラグを楽に容易に回転させることができるという作用を有する。
【００２４】
【発明の実施の形態】
以下、本発明の一実施の形態について図面を用いて説明する。
図１は本発明の一実施の形態におけるプラグ装置の外観図、図２は同プラグ装置のＩＩ−ＩＩ側断面図、図３は同プラグ装置のＩＩＩ−ＩＩＩ側断面図、図４は同プラグ装置の要部分解斜視図、図５は同プラグ装置を構成する回転軸の軸受部における側断面図である。
【００２５】
図１は、本発明の一実施の形態に係るプラグ装置を示すものであり、このプラグ装置は、ＡＣアダプタに適用されており、筐体１のプラグ収納用凹部１４に、プラグ２を設けている。
また、このプラグ２には、プラグ本体３と、回転軸４と、軸部５と、プラグ側電極取付体６とを備えており、筐体１に対して、回動可能及び起伏可能な構成となっている。一方、筐体１内部には、軸受け用突堤７と、筐体側電極取付体８と、操作レバー９とを備えている。
【００２６】
まず、ＡＣアダプタの筐体１には、互いに直交し隣接する２つの面１２，１３に跨がってそれぞれ開口１２Ａ、１３Ａを有するプラグ収納用凹部１４が形成されている。
【００２７】
このプラグ収納用凹部１４において、互いに対向する内面１４Ａ，１４Ｂの開口１２Ａ、１３Ａよりも奥部には、図２に示すように、それぞれ回転軸７の貫通用の透孔１５Ａ、１５Ｂが形成されており、この透孔１５Ａ、１５Ｂを通りプラグ収納用凹部１４を貫通するように回転軸４が配置されている。
【００２８】
この回転軸４は、大径部４Ａと、その両端に一体に形成された小径部４Ｂ、４Ｃとで構成されており、このうち、大径部４Ａの中央部には、図２において上面から下面に貫通する径方向の透孔４１（図３参照）が形成されており、この透孔４１には、プラグ２の後端に設けられた軸部５が回転自在に枢着されている。
【００２９】
そして、この軸部５の先端は、図３に示すように、プラグ収納用凹部１４の底面から側面に跨って連続的なカーブ状に形成した透孔１４Ｃを通して筐体１の内部に挿入されており、この筐体１の内部に挿入されたこの軸部５の先端には、図２に示すように、外周にプラグ２と電気的に接続されたプラグ側電極６２（図４参照）を有するプラグ側電極取付体６が装着されている。
【００３０】
即ち、プラグ側電極取付体６の外周には、図４に示すように、９０度の位相間隔で４つの節度用凹溝６１が等角的に形成されており、互いに隣り合う２つの節度用凹溝６１間には、それぞれプラグ側電極６２が取付けられている。
【００３１】
そして、このプラグ側電極６２のうち、互いに隣り合う２つはプラグ本体３の一方のブレード３Ａ、残りの２つは他方のブレード３Ｂ（ともに、図１〜図３参照）にそれぞれ電気的に接続されている。
この電気的な接続方法は、プラグ２の軸部５、プラグ側電極取付体６に、それぞれ図示していないが、軸方向の貫通孔を形成し、これらの貫通孔を貫通する適宜の導体（例えば線材）で互いに電気的に接続するようにしている。
【００３２】
そして、プラグ側電極取付体６に対向する筐体１側の所定位置には、プラグ２を倒立した状態（図１〜図３に示す状態）で、プラグ側電極取付体６を挟持する１対の筐体側電極取付体８、即ち、図４に示すように、一方の筐体側電極取付体８Ａ、他方の筐体側電極取付体８Ｂがそれぞれ互いに対向するように配置されている。
【００３３】
これらの筐体側電極取付体８Ａ、８Ｂは、それぞれ図４に示すように、断面円弧状の弾性部材で形成されており、それぞれの両端部にはプラグ側電極取付体６に形成した節度用凹溝６１に嵌挿される節度用凸堤８１Ａ、８１Ｂが一体に形成されている。
また、筐体側電極取付体８Ａ、８Ｂには、節度用凸堤８１Ａ、８１Ｂが節度用凹溝６１に嵌挿された状態で、内側中央部のプラグ側電極６２に弾性的に接触する筐体側電極８２Ａ、８２Ｂが取付けられている。
【００３４】
また、筐体側電極取付体８Ａ、８Ｂには、長手方向に摺動可能な薄板細長形状の摺動レバー８３Ａ、８３Ｂが一体に形成されており、この摺動レバー８３Ａ、８３Ｂの互いに対向する先端部には、互いに逆方向で合わせて八字状になるように先端が楔形状となったテーパ部８４Ａ、８４Ｂが形成されている。
【００３５】
この摺動レバー８３Ａ、８３Ｂは、テーパ部８４Ａ、８４Ｂを有する先端部とは反対側の基端部が、筐体１に形成した軸受用突堤７（左右一対の軸受用突堤７Ａ、７Ｂからなる）の摺動レバー保持用凹溝７１Ａ、７１Ｂに挿入することにより、それぞれ、その摺動レバー８３Ａ、８３Ｂの長手方向に摺動可能なように保持されている。なお、前述の摺動レバー保持用凹溝７１Ａ、７１Ｂは、軸受用突堤７において筐体１との取付部位に設けてある。
また、これらの摺動レバー８３Ａ、８３Ｂは、筐体側電極取付体８Ａ、８Ｂと共に、軸受用突堤７Ａ、７Ｂに形成したコイルばね収納用孔７２Ａ、７２Ｂ（図４では、軸受用突堤７Ａのみ表示）に収納したコイルばね７３Ａ、７３Ｂによって、常時、プラグ側電極取付体６に向かう方向の弾性的が付勢されている。
【００３６】
そして、摺動レバー８３Ａ、８３Ｂのテーパ部８４Ａ、８４Ｂに対向する位置には、摺動レバー８３Ａ、８３Ｂに対して直交する方向に摺動可能な操作レバー９が装着されている。
この操作レバー９の一端（先端）には、この操作操作レバー９を矢印Ａ方向（図４参照）押圧操作することにより、コイルばね７３Ａ、７３Ｂの弾性付勢力に抗して、摺動レバー８３Ａ、８３Ｂのテーパ８４Ａ、８４Ｂを矢印Ｂ方向（図４参照）押圧操作する山状のテーパ部９１が一体に形成されている。一方、この操作レバー９の他端（基端）には、操作釦９２が取付けられており、この操作釦９２は、筐体１に形成した透孔１Ａ（図３参照）を通して筐体１の外部に突出している。
【００３７】
また、前述した軸受用の突堤７Ａ、７Ｂには、図５に示すように、回転軸４の小径部４Ｂ、４Ｃをそれぞれ軸支する軸受７４Ａ、７４Ｂが取付けられており、この軸受７４Ａ、７４Ｂには、回転軸４の小径部４Ｂ、４Ｃに形成した節度用凹溝４２Ａ、４２Ｂに弾性的に嵌挿される節度用凸部７６Ａ、７６Ｂを有する節度用レバー７７Ａ、７７Ｂが一体に形成されている。なお、ここで、節度用凹溝４２Ａ、４２Ｂは、プラグ３を回転軸４と共に９０度横倒させ得るように回転軸４の小径部４Ｂ、４Ｃに９０度間隔で等角的に形成されている。
【００３８】
次に、本実施の形態におけるプラグ装置について、その動作を説明する。
（Ｉ）まず、プラグ３を倒立させた使用可能な状態では、図１〜図３に示すように、プラグ側電極取付体６が互いに対向する２つの筐体側電極取付体８Ａ、８Ｂの間に位置している（図２、図６参照）。そして、このプラグ３は、軸部５を中心に予め定めた回転角度になるように位置しており、図６（Ａ）に示すように、筐体側電極取付体８Ａ、８Ｂに設けた節度用凸堤８１Ａ、８１Ｂがプラグ側電極取付体６に形成した節度用凹溝６１に対向する位置に持ちきたされている。
従って、この状態でプラグ３は、もはや回転不可能な状態になっている。
【００３９】
ところで、この状態に限らないが、筐体側電極取付体８Ａ、８Ｂには、先に説明したように、コイルばね７３Ａ、７３Ｂによって、常時、プラグ側電極取付体６の方向に向かう弾性付勢力が付与されている。したがって、この状態で、筐体側電極８２Ａ、８２Ｂは、プラグ側電極６２に比較的強く圧接し、両者は良好な状態で電気的に接続されている。
【００４０】
そのため、プラグ本体３を家の壁などに設けられたコンセントに挿入すると、このコンセントは、プラグ本体３を介してプラグ側電極６２に接続され、更に筐体側電極８２Ａ、８２Ｂを介して筐体１内部の電気回路、或いは、筐体１外部に引出される導体に電気的に接続される。
すなわち、ここで、筐体側電極８２Ａ、８２Ｂは、図示していないが、コイルばね７３Ａ、７３Ｂ、あるいはその他の導線を用いて、筐体１内部の電気回路、あるいは、外部に引出される導線と電気的に接続されている。
【００４１】
（ＩＩ）今、この状態において、図１に示す操作釦９２を矢印のＡ方向（図４参照）に押圧操作したとすると、操作レバー９に形成したテーパ部９１が摺動レバー８３Ａ、８３Ｂのテーパ部８４Ａ、８４Ｂに当接してこれらを押圧するため、摺動レバー８３Ａ、８３Ｂが互いに離れるＢ方向に移行する、このため、筐体側電極取付体８Ａ、８Ｂも、コイルばね７３Ａ、７３Ｂの弾性付勢力に抗してそれぞれプラグ側電極取付体６より離れるＢ方向（図４参照）に移行する。
すなわち、この状態では、図６（Ｂ）に示すように、筐体側電極取付体８Ａ、８Ｂに形成した節度用凸堤８１Ａ、８１Ｂがプラグ側電極取付体６に形成した節度用凹溝６１から抜け出た状態となり、プラグ２は、軸部５を中心にして水平（Ｘ）方向（図７参照）に任意に回転させることが可能になる。
【００４２】
（ＩＩＩ）従って、図７に示すように、この状態でプラグ２を水平（Ｘ）方向に９０度回転させ、操作釦９２から手を離せば、プラグ２を図２の状態から図７の状態へ９０度回転させた状態で、図１〜図３に示した状態と同様、筐体側電極取付体８Ａ、８Ｂに設けた節度用凸堤８１Ａ、８１Ｂを、プラグ側電極取付体６に設けた節度用凹溝６１に、嵌入させることができる。その結果、プラグ側電極取付体６に設けたプラグ側電極６２を、それぞれ、筐体側電極取付体８Ａ、８Ｂに設けた筐体側電極８２Ａ、８２Ｂに電気的に接続させることができる。
【００４３】
このように、本実施の形態によれば、プラグ２を倒立した状態で、軸部５を中心にしてプラグ２を９０度回転させても、プラグ２を使用可能な状態に姿勢を変更させることができる。このため、コンセントの取付位置などの関係で、ある回転角度ではコンセントに差込みにくい場合でも、プラグ２の回転角度を変更することにより、コンセントに差込みやすくすることができる可能性があり、それだけ使用に際して便利であるという利点を有する。
【００４４】
（ＩＶ）そして、本実施の形態によれば、更に、図８に示すように、プラグ２を回転軸４を中心にＹ方向へ回転させることで横倒させることができ、プラグ２をプラグ収納用凹部１４に完全に収納することができる。
すなわち、本実施の形態において、操作釦９２を矢印Ａの方向（図４参照）に押圧操作すると、先に説明したように、筐体側電極取付体８Ａ、８Ｂが互いに離れるＢ方向（図４参照）に移行し、筐体側電極取付体８Ａ、８Ｂに設けた節度用凸堤８１Ａ、８１Ｂがプラグ側電極取付体６に設けた節度用凹溝６１より抜け出て、図６（Ｂ）に示すような状態になる。このため、この状態でプラグ２を回転軸４（大径部４Ａ）と共に縦（Ｙ）方向（図８参照）に任意に回転させることができるようにもなる。
【００４５】
（Ｖ）したがって、この状態でプラグ２を回転軸４と共に縦（Ｙ）方向に９０度回転させれば、図８に示すように、プラグ２をブレード３Ａ、３Ｂを含めてプラグ収納用凹部１４に完全に収納することができ、プラグ装置としては、筐体１からの突出部のない、携帯に便利な優れたプラグ装置とすることができる。
【００４６】
このように、本実施の形態によれば、回転軸４の小径部４Ａ、４Ｂに節度用の凹溝４２Ａ、４２Ｂ、回転軸４を軸支する軸受７４Ａ、７４Ｂに節度用凸部７６Ａ、７６Ｂを有する節度用レバー７７Ａ、７７Ｂをそれぞれ設けている。このため、これらの凹溝４２Ａ、４２Ｂ、凸部７６Ａ、７６Ｂによって回転軸４の回転、すなわち、プラグ２の横倒、倒立の２つの位置においてそれぞれ適度な節度を与えることができ、プラグ２の横倒、倒立のいずれの状態でも、プラグ２を安定的に固定することができる。
【００４７】
なお、本実施の形態では、筐体１に軸受用突堤７Ａ、７Ｂを形成し、この軸受用突堤７Ａ、７Ｂにコイルばね収納用孔７２Ａ、７２Ｂ、摺動レバー保持用凹溝７１Ａ、７１Ｂを形成しているが、これらはそれぞれ別の部材に設けてもよい。また、本実施の形態では、回転軸４をプラグ収納用凹部１４内に設けているが、プラグ収納用凹部１４にはプラグ本体３のみを収納し、回転軸４はプラグ収納用凹部１４ではなく筐体１内部に設けるように構成してよい。このように構成すれば、プラグ装置全体の外観を更に向上させることができる。
【００４８】
また、本実施の形態では、筐体１外部に操作釦用凹部を設けて、この操作釦用凹部に操作釦９２を収納するように構成してよい。このように構成すれば、誤って操作釦９２を押すことによる不用意なプラグ本体３の回転を防止できる。また、プラグ装置全体の外観を更に向上させることができる。とくに、筐体１外部のプラグ本体３が倒立する面に操作釦用凹部を設けて操作釦９２を収納するように構成すると、コンセントに差込んでいる間の不用意なプラグ本体３の回転を、より効果的に防止できる。
【００４９】
なお、本実施の形態では、各部の構成部材をそれぞれ本実施の形態特有の構成としているが、本発明は、それらに限定されるものではない。また、このプラグ装置を適用する対象としては、商用電源を使用する各種の電気機器用でもよい。
【００５０】
【発明の効果】
以上説明したように、本発明のプラグ装置は、プラグ収納用凹部に起伏自在、かつ、回転自在にプラグを装着し、プラグを倒立した状態でプラグがプラグ収納用凹部より突出し、かつ、その状態で回転可能に構成され、プラグを横倒させた状態では、プラグがプラグ収納用凹部に収納されるように構成したものである。
【００５１】
したがって、本発明によれば、プラグを倒立させて、プラグをプラグ収納用凹部より突出させることにより、任意にコンセントに差込んで使用することができるようになり、その状態では、プラグを、軸を中心に回転させることができ、プラグの方向を変化させて使用することも可能であり、更に、使用しない場合には、プラグを横倒させてプラグをプラグ収納用凹部に完全に収納することができ、携帯に便利であるという作用を有する。
【図面の簡単な説明】
【図１】本発明の一実施の形態におけるプラグ装置の外観図である。
【図２】同プラグ装置のＩＩ−ＩＩ断側面図である。
【図３】同プラグ装置のＩＩＩ−ＩＩＩ断側面図である。
【図４】同プラグ装置の要部分解斜視図である。
【図５】同プラグ装置を構成する回転軸の軸受部分の断側面図である。
【図６】同プラグ装置を構成するプラグ側電極取付体と筐体側電極取付体との関係を示すものであり、（Ａ）は係合状態を示す説明図、（Ｂ）は係合解除状態を示す説明図である。
【図７】同プラグ装置において、プラグを、軸部を中心に９０度回転させた状態の断側面図である。
【図８】同プラグ装置において、プラグを、回転軸を中心に９０度回転させた状態の断側面図である。
【符号の説明】
１      筐体
１Ａ    透孔
１２Ａ、１３Ａ開口
１４    プラグ収納用凹部
１４Ａ，１４Ｂ内面
１４Ｃ  透孔
１５、１５Ａ、１５Ｂ透孔
２      プラグ
３      プラグ本体
３Ａ    ブレード
３Ｂ    ブレード
４      回転軸
４Ａ    大径部
４Ｂ、４Ｃ小径部
４１    透孔
４２Ａ、４２Ｂ節度用凹溝
５      軸部
６      プラグ側電極取付体
６１    節度用凹溝
６２    プラグ側電極
７      軸受け用突堤
７１Ａ、７１Ｂ摺動レバー保持用凹溝
７２Ａ、７２Ｂコイルばね収納用孔
７３Ａ、７３Ｂコイルばね
７４Ａ、７４Ｂ軸受
７６Ａ、７６Ｂ節度用凸部
７７Ａ、７７Ｂ節度用レバー
８      筐体側電極取付体
８Ａ    一方の筐体側電極取付体
８Ｂ    他方の筐体側電極取付体
８１Ａ、８１Ｂ節度用凸堤
８２Ａ、８２Ｂ筐体側電極
８３Ａ、８３Ｂ摺動レバー
８４Ａ、８４Ｂテーパ部
９      操作レバー
９１    テーパ部
９２    操作釦
【図１】
2004172066.tif 000003
【図２】
2004172066.tif 000004
【図３】
2004172066.tif 000005
【図４】
2004172066.tif 000006
【図５】
2004172066.tif 000007
【図６】
2004172066.tif 000008
【図７】
2004172066.tif 000009
【図８】
2004172066.tif 000010